(57)【要約】【課題】受験者の本人認証が行え、かつ、資格証明や試験結果の通知がスムーズに得られ、この証明書や試験結果の通知の正当性を容易に確認することが可能なＩＤ情報利用試験システムを提供する。【解決手段】本発明のＩＤ情報利用試験システムは、ＩＤ記憶媒体に記憶された利用者のＩＤ番号に対応して、前記利用者の利用者固有の第１の認証情報，及び複数の試験毎の情報を含む利用者情報及び前記試験の受験の履歴を示す受験履歴情報が記録された利用者情報データベース（ＤＢ）３２と、利用者情報データベース３２を管理するサーバ３１と、ＩＤ記憶媒体からＩＤ番号を読み取り、また、サーバ３１を介してこのＩＤ番号に対応した登録認証情報を読み出し、この読み出した登録認証情報が認証時に取得される利用者の取得認証情報と一致するか否かの判定を行う認証端末１，２を有することを特徴とする。【選択図】　　　図１
2004094690.tif 000002
【特許請求の範囲】
【請求項１】
ＩＤ記憶媒体に記憶された利用者のＩＤ番号に対応して、前記利用者の利用者固有の第１の認証情報，及び複数の試験毎の情報を含む利用者情報及び前記試験の受験の履歴を示す受験履歴情報が記録されたデータベースと、
前記データベースを管理するサーバと、
前記ＩＤ記憶媒体から前記ＩＤ番号を読み取る読み取り手段と、
前記サーバを介して読み取った前記ＩＤ番号に対応した前記第１の認証情報を読み出しこの読み出した第１の認証情報が認証時に取得される利用者の第２の認証情報と一致するか否かの判定を行う認証端末と
を有することを特徴とするＩＤ情報利用試験システム。
【請求項２】
前記第１及び第２の認証情報が利用者の写真，指紋，網膜情報のいずれか一つ、または複数の組み合わせであることを特徴とする請求項１記載のＩＤ情報利用試験システム。
【請求項３】
前記利用者情報が、利用者のＩＤ番号，パスワード，苗字，名前，電話番号郵便番号，住所，メールアドレスを含み、前記受験履歴情報がＩＤ番号，試験を識別する試験ＩＤ，試験の行われた日付・時間，試験結果を含むことを特徴とする請求項１または請求項２記載のＩＤ情報利用試験システム。
【請求項４】
前記認証端末が利用者から前記第２の認証情報を読みとる読み取り手段を有していることを特徴とする請求項１から請求項３のいずれかに記載のＩＤ情報利用試験システム。
【請求項５】
前記サーバが、受験履歴情報を公開する試験の組み合わせを作成する要求情報に基づき、複数の受験履歴情報から、指定された試験に対応して、試験結果を公開する１つまたは複数の受験履歴情報の組み合わせを作成することを特徴とする請求項１から４のいずれかに記載のＩＤ情報利用試験システム。
【請求項６】
前記サーバが、受験履歴情報を公開する試験の組み合わせを編集する要求情報に基づき、新たに指定された試験に対応して、前記組み合わせにおける公開する受験履歴情報の種類を変更することを特徴とする請求項５に記載のＩＤ情報利用試験システム。
【請求項７】
前記サーバが、前記組み合わせ毎に、この組み合わせを参照する公開コードを付与することを特徴とする請求項５または請求項６に記載のＩＤ情報利用試験システム。
【請求項８】
利用者のＩＤ番号が記憶されたＩＤ記憶媒体を発行する過程と、
前記ＩＤ番号に対応して、前記利用者の利用者固有の第１の認証情報，及び複数の試験毎の情報を含む利用者情報及び前記試験の受験の履歴を示す受験履歴情報をデータベースに記憶させる過程と、
前記ＩＤ記憶媒体から前記ＩＤ番号を読み取る過程と、
前記データベースからこのＩＤ番号に対応した前記第１の認証情報を読み出す過程と、
この読み出した第１の認証情報が認証時に取得される利用者の第２の認証情報と一致するか否かの判定を行う過程と
を有することを特徴とするＩＤ情報利用試験方法。
【請求項９】
請求項１から請求項７のいずれかに記載のＩＤ情報利用試験システムを動作させるプログラムであり、
利用者のＩＤ番号が記憶されたＩＤ記憶媒体を発行する処理と、
前記ＩＤ番号に対応して、前記利用者の利用者固有の第１の認証情報，及び複数の試験毎の情報を含む利用者情報及び前記試験の受験の履歴を示す受験履歴情報をデータベースに記憶させる処理と、
前記ＩＤ記憶媒体から前記ＩＤ番号を読み取る処理と、
前記データベースからこのＩＤ番号に対応した前記第１の認証情報を読み出す処理と、
この読み出した第１の認証情報が認証時に取得される利用者の第２の認証情報と一致するか否かの判定を行う処理と
を有することを特徴とするＩＤ情報利用試験プログラム。
【発明の詳細な説明】
【０００１】
【発明の属する技術分野】
本発明は、複数の試験の試験結果情報及び資格情報を一元管理するＩＤ情報利用試験システムに係わるものである。
【０００２】
【従来の技術】
入学試験及び各種資格試験において、合格及び不合格の結果を郵送するための受験者の住所、電話番号、年齢、職業等（受験者情報）の管理を行う必要がある。
すなわち、上記試験や資格試験においては、受験時の受験者管理，試験結果及び成績管理、資格の証明の管理が必要となる。
【０００３】
すなわち、
▲１▼受験者とこの受験者の受験者情報を、受験者のＩＤ番号を記録したＩＤ記憶媒体（磁気カードやＩＣカード、またはバーコードなどでＩＤ番号が記された用紙）によりセンタシステムにおいて管理する。
▲２▼試験主催団体や資格試験主催団体が発行する証明書により、資格保守や試験での成績を他者に正式に証明する。
▲３▼本人と、証明書の真偽を確認する側（試験情報参照者、例えば就職先の会社）との間の証明書の授受は、他者（試験主催団体）の証明書か、本人が所有する証明書のコピーが利用されている。
【０００４】
【発明が解決しようとする課題】
しかしながら、上述した従来のシステムでは、▲１▼の各管理の処理において、受験者が本人か否か、すなわち、受験票のＩＤ記憶媒体を所有している人と、受験票のＩＤ番号を所有している人が同一人物であることを確認する処理が無いため、受験者が本人であることの正当性を最終的に認証することができない。
また、上記従来のシステムでは、▲２▼の証明書の発行及び試験結果通知の処理において、各試験主催団体に対して、証明書の発行を依頼する手続き等があり、発行までに時間がかかり、発行される側からみると処理に多くの手間がかかることとなる。
さらに、上記従来のシステムには、▲３▼の証明書の正当性において、試験団体の発行する証明書や本人の所有する証明書のコピーが本物であるか、すなわち提出する本人のものであるか否かの確認が行えないとうい欠点がある。
【０００５】
本発明はこのような背景の下になされたもので、受験者の本人認証が行え、かつ、資格証明や試験結果の通知がスムーズに得られ、この証明書や試験結果の通知の正当性を容易に確認することが可能なＩＤ情報利用試験システムを提供する事にある。
【０００６】
【課題を解決するための手段】
本発明のＩＤ情報利用試験システムは、ＩＤ記憶媒体に記憶された利用者のＩＤ番号に対応して、前記利用者の利用者固有の第１の認証情報，及び複数の試験毎の情報を含む利用者情報及び前記試験の受験の履歴を示す受験履歴情報が記録されたデータベース（利用者情報データベース（ＤＢ）３２）と、前記データベースを管理するサーバ（サーバ３１）と、前記ＩＤ記憶媒体から前記ＩＤ番号を読み取る読み取り手段（ＩＤ記憶媒体読取機１１，２１）と、前記サーバを介して読み取った前記ＩＤ番号に対応した前記第１の認証情報を読み出し、この読み出した第１の認証情報が認証時に取得される利用者の第２の認証情報と一致するか否かの判定を行う認証端末（認証端末１，２）を有することを特徴とする。
【０００７】
本発明のＩＤ情報利用試験システムは、前記第１及び第２の認証情報が利用者の写真，指紋，網膜情報のいずれか一つ、または複数の組み合わせであることを特徴とする。
本発明のＩＤ情報利用試験システムは、前記利用者情報が、利用者のＩＤ番号，パスワード，苗字，名前，電話番号郵便番号，住所，メールアドレスを含み、前記受験履歴情報がＩＤ番号，試験を識別する試験ＩＤ，試験の行われた日付・時間，試験結果を含むことを特徴とする。
【０００８】
本発明のＩＤ情報利用試験システムは、前記認証端末が利用者から前記第２の認証情報を読みとる読み取り手段（認証データ取得機１２，２２）を有していることを特徴とする。
本発明のＩＤ情報利用試験システムは、前記サーバが、受験履歴情報を公開する試験の組み合わせを作成する要求情報に基づき、複数の受験履歴情報から、指定された試験に対応して、試験結果を公開する１つまたは複数の受験履歴情報の組み合わせを作成することを特徴とする。
【０００９】
本発明のＩＤ情報利用試験システムは、前記サーバが、受験履歴情報を公開する試験の組み合わせを編集する要求情報に基づき、新たに指定された試験に対応して、前記組み合わせにおける公開する受験履歴情報の種類を変更することを特徴とする。
本発明のＩＤ情報利用試験システムは、前記サーバが、前記組み合わせ毎に、この組み合わせを参照する公開コードを付与することを特徴とする。
【００１０】
本発明のＩＤ情報利用試験方法は、利用者のＩＤ番号が記憶されたＩＤ記憶媒体を発行する過程と、前記ＩＤ番号に対応して、前記利用者の利用者固有の第１の認証情報，及び複数の試験毎の情報を含む利用者情報及び前記試験の受験の履歴を示す受験履歴情報をデータベースに記憶させる過程と、前記ＩＤ記憶媒体から前記ＩＤ番号を読み取る過程と、前記データベースからこのＩＤ番号に対応した前記第１の認証情報を読み出す過程と、この読み出した第１の認証情報が認証時に取得される利用者の第２の認証情報と一致するか否かの判定を行う過程とを有することを特徴とする。
【００１１】
本発明のＩＤ情報利用試験プログラムは、上記記載のＩＤ情報利用試験システムを動作させるプログラムであり、利用者のＩＤ番号が記憶されたＩＤ記憶媒体を発行する処理と、前記ＩＤ番号に対応して、前記利用者の利用者固有の第１の認証情報，及び複数の試験毎の情報を含む利用者情報及び前記試験の受験の履歴を示す受験履歴情報をデータベースに記憶させる処理と、前記ＩＤ記憶媒体から前記ＩＤ番号を読み取る処理と、前記データベースからこのＩＤ番号に対応した前記第１の認証情報を読み出す処理と、この読み出した第１の認証情報が認証時に取得される利用者の第２の認証情報と一致するか否かの判定を行う処理とを有することを特徴とする。
【００１２】
【発明の実施の形態】
以下、図面を参照して本発明の実施形態について説明する。図１は本発明の一実施形態によるＩＤ情報利用試験システムの構成を示すブロック図である。
この図において、センタ３（デジタルテストセンタ）は、複数の試験主催団体から、受験者とこの受験者の試験情報との管理を委託されるデジタルテストセンタであり、サーバ３１及び利用者情報データベース３２を有している。
【００１３】
本発明は、試験場などでＩＤ記憶媒体を提示した利用者から本人認証時に採取した取得認証データと、上記デジタルテストセンタに設置された利用者情報データベース３２から上記ＩＤ記憶媒体に登録された利用者ＩＤにより検索された登録認証データとの比較を行い、予めデジタルテストセンタに登録した利用者と、この利用者の利用者ＩＤが記録されたＩＤ記憶媒体を所有している利用者とが同一人物か否かの本人認証を行い、本人認証の正当性を証明するものである。
また、本発明は、ＩＤ記憶媒体に記憶された利用者ＩＤ（各利用者に付与）により、デジタルテストセンタの利用者情報データベース３２に記憶されている試験結果（または資格情報）を示す複数の受験履歴テーブルから、所定の試験に対する受験履歴テーブルを１つまたは複数のテーブルの組み合わせを予め選択して、必要に応じて入社試験などで試験情報を参照したいとする試験情報参照者に対して参照させるものである。
【００１４】
利用者情報データベース３２には、利用者のＩＤ番号毎に、利用者固有の認証データとともに、利用者の利用者情報が格納されている。
すなわち、利用者情報データベース３２には、図２から図８に示す構成のテーブルが利用者毎または試験の種類毎に記憶されている（各テーブルとも、それぞれの項目をキーとして互いのテーブルを検索できる）。
【００１５】
図２に示す利用者情報テーブルは、各利用者の利用者ＩＤを主キー（検索における）として、パスワード，苗字，名前，電話番号，郵便番号，住所，メールアドレスが記載され、利用者データベース３２に格納されている。
また、図３に示す認証情報テーブルは、利用者ＩＤ及び認証データの種類を示すデータ種別を主キーとして、認証データが記載され、利用者データベース３２に格納されている。
【００１６】
さらに、図４に示す受験履歴テーブルは、受験履歴ＩＤを主キーとして、利用者ＩＤ，試験の種類を示す試験ＩＤ，試験の行われた日付，試験の行われた時間，受験前か後か等の受験の状態を示す状態データ，合格か不合格を示す合否データ（資格情報を含む），試験の点数が記載され、利用者データベース３２に格納されている。
図５に示す公開試験明細テーブルは、利用者ＩＤ，公開してもよい試験に添付される公開情報セットＩＤ，（公開してもよい受験履歴ＩＤに対応して作成される）公開情報セットにおける各公開試験明細テーブルに古い順に付けられる番号である明細Ｎｏを主キーとして、受験履歴ＩＤが記載され、利用者データベース３２に格納されている。
【００１７】
図６に示す公開試験情報テーブルは、利用者ＩＤと公開情報セットＩＤを主キーとして、試験の名称，公開情報セット（公開する試験の組み合わせ）毎に添付される公開ＣＤ（公開コード）が記載され、利用者データベース３２に格納されている。
図７に示す試験情報テーブルは、試験ＩＤを主キーとして、この試験を行う主催団体を示す主催団体ＩＤ，試験名，データ種別が記載され、利用者データベース３２に格納されている。
【００１８】
図８に示す主催団体情報テーブルは、主催団体ＩＤを主キーとして、主催団体の名称を示す主催団体名が記載され、利用者データベース３２に格納されている。
上述された、本発明で使用する利用者固有の認証データとしては、写真，指紋，網膜情報（アイパターン），及びＤＮＡ（Ｄｏｅｘｙｒｉｂｏ　Ｎｕｃｌｅｉｃ　Ａｃｉｄ）パターンなどの、受験における確認において、予め登録されている利用者に対して、各利用者本人を特定し認証が可能な人体の特徴情報を利用している。
【００１９】
サーバ３１は、新たな利用者の登録するとともに、すでに記憶されている利用者が新たに受験した試験の試験情報（受験した試験の結果を示す情報，試験の種類の情報、試験の主催団体の情報，試験の結果得られた資格を示す資格情報）を、この利用者のＩＤ番号に対応させて追加登録する。
認証端末１は、試験上に設置され、受験者の所有するＩＤ記憶媒体に記憶されたＩＤ番号により、利用者情報データベース３２に記録された認証データ（以下登録認証データ）をサーバ３１に要求し、利用者情報データベース３２から得られた登録認証データと、ＩＤ記憶媒体を所有する人から取得した認証情報（以下、取得認証データ）とを比較して、本人の認証を行う。
【００２０】
認証端末１には、ＩＤ記憶媒体読取機１１と認証データ取得機１２とが設けられている。
ＩＤ記憶媒体読取機１１は、ＩＤ記憶媒体からＩＤ番号とパスワードとを読み出し、認証端末１へ送信する。
認証データ取得機１２は、利用者から取得認証データを取得し、認証端末１へ送信する。
ここで、認証端末１は、ＩＤ番号と取得認証データとを対応づけて内部の記憶部に記憶する。
【００２１】
同様に、認証端末２は、提携している会社（入社試験や昇格試験に資格情報を使用する企業など）に設置され、受験者の所有するＩＤ記憶媒体に記憶されたＩＤ番号により、利用者情報データベース３２に記録された認証情報をサーバ３１に要求し、利用者情報データベース３２から得られた登録認証情報と、ＩＤ記憶媒体を所有する人から取得した取得認証データとを比較して、本人の認証を行う。
【００２２】
認証端末２には、認証端末１と同様に、ＩＤ記憶媒体読取機２１が設けられている。
ＩＤ記憶媒体読取機２１は、ＩＤ記憶媒体からＩＤ番号とパスワードとを読み出し、認証端末２へ送信する。
ここで、認証端末２は、認証端末１と同様に、ＩＤ番号と取得認証データとを対応づけて内部の記憶部に記憶する。
また、認証端末２に対して、認証端末１に接続された認証データ取得機２１と同様な機能を有する認証データ取得機２２を接続して、認証端末２において認証端末１と同様な本人認証の処理を行っても良い。
【００２３】
また、認証データ取得機１２は、認証データのデータ種別が写真である場合、利用者の顔の画像データを取得し、顔の特徴部分を抽出して、取得認証データとして出力する。
このとき、利用者情報データベース３２に記憶されている登録認証データは写真の画像データであり、認証端末１は、登録認証データから顔の特徴部分を抽出して、上記取得認証データと比較することとなる。
また、認証データ取得機１２を用いない場合、試験官がサーバ３１を介して、利用者情報データベース３２から取得した画像と、目前にいる利用者の顔との比較を目視において行う。
【００２４】
また、認証データ取得機１２は、認証データのデータ種別が指紋である場合、利用者の所定の指から指紋の画像データを取得し、指紋の特徴部分を抽出して、取得認証データとして出力する。
このとき、利用者情報データベース３２に記憶されている登録認証データは指紋の画像データであり、認証端末１は、登録認証データから指紋の特徴部分を抽出して、上記取得認証データと比較することとなる。
【００２５】
さらに、認証データ取得機１２は、認証データのデータ種別が網膜情報である場合、利用者の目から網膜の画像データを取得し、網膜の特徴部分を抽出して、取得認証データとして出力する。
このとき、利用者情報データベース３２に記憶されている登録認証データは網膜の画像データであり、認証端末１は、登録認証データから網膜の特徴部分を抽出して、上記取得認証データと比較することとなる。
【００２６】
同様に、認証データ取得機１２は、認証データのデータ種別がＤＮＡパターンである場合、利用者の耳等の組織片、または髪の毛からＤＮＡを取得し、ＤＮＡパターンを解析して抽出し、取得認証データとして出力する。
このとき、利用者情報データベース３２に記憶されている登録認証データはＤＮＡパターン網膜の画像データであり、認証端末１は、登録認証データのＤＮＡパターンと、上記取得認証データのＤＮＡパターンと比較することとなる。
【００２７】
上述したように、登録認証データと取得認証データとの種別は同様である。すなわち、登録認証データが指紋であれば、取得認証データも指紋として比較されることになる。
また、認証データは、上記した写真，指紋，網膜情報（アイパターン），ＤＮＡパターン、その他の認証情報として利用可能なデジタルデータのいずれか一つ、または複数の組み合わせを用いても良い。
この場合、当然のことながら、上記認証データ取得機１２は、組み合わせた認証データを採取できる機能を有している。
【００２８】
また、サーバ３１は、認証端末１から入力するＩＤ番号に基づき、このＩＤ番号に対応する記録認証データを読み出し、読み出した記録認証データを認証端末１，２へ送信する。
さらに、サーバ３１は、ＩＤ番号と各認証データ（記録認証データ，取得認証データ）とに基づき、本人の認証が確認された場合、認証端末１の要求する試験情報を、認証端末１へ送信する。
【００２９】
次に、図１を参照し、一実施形態の動作例を説明する。
デジタルテストセンタであるセンタ３の行う処理の種類として、試験の申込所または試験会場において認証端末１を用いて行う場合と、インターネット等を利用して資格の証明を要求する会社が認証端末２を用いて行う場合とに分けられる。
また、デジタルテストセンタが行う処理については、図９に示す、マッチング，本人認証，利用者情報登録，受験登録，ログイン，ログアウト，新規公開試験セット作成，公開試験セット編集，試験結果参照（受験者），公開ＣＤ登録，試験結果参照（ＵＲＬ），試験結果参照（ＩＤ記憶媒体）等がある。
ここで、認証端末１及び２は、センタ３のサーバ３１に対して常時接続状態にあり、ログイン処理する必要はない。
以下、上記処理を、図１０〜２１のシーケンス図に対応させて順に説明する。
【００３０】
図１０は、受験にきた利用者が利用者データベースに登録されているか否かの判定を行うマッチング処理のシーケンスを示している。
受験者はＩＤ記憶媒体を認証端末１のＩＤ記憶媒体読取機１１に挿入し、マッチング処理の要求を行う（ステップＳ１）。
そして、認証端末１は、ＩＤ記録読取機１１がＩＤ記憶媒体から読みとったＩＤ番号を、利用者情報テーブル確認の要求と共に、インターネットＩを介してサーバ３１へ送信する（ステップＳ２）。
【００３１】
次に、サーバ３１は、入力されるＩＤ番号に基づき、利用者情報データベース３２から、利用者の利用者情報テーブルを検索する（ステップＳ３）。
そして、サーバ３１は上記検索の結果、利用者情報テーブルが抽出されれば、この利用者情報テーブルを認証端末１へ送信し、抽出されなければ、検索できないことを示す通知を認証端末１へ送信する。
【００３２】
図１１は、受験にきた利用者の本人認証を行う本人認証処理のシーケンスを示している。
受験者はＩＤ記憶媒体を認証端末１のＩＤ記憶媒体読取機１１に挿入し、本人認証処理の要求を行う（ステップＳ１１）。
これにより、ＩＤ記録読取機１１がＩＤ記憶媒体からＩＤ番号を読み出し、かつ、認証データ取得機１２が利用者から取得認証データを取得し、各々ＩＤ番号，取得認証データを認証端末１へ送信する。
そして、認証端末１は、上記ＩＤ番号に対応させて取得認証データを内部の記憶部に記憶するとともに、本人認証の処理を要求する要求信号に上記ＩＤ番号を付与してサーバ３１へ送信する（ステップＳ１２）。
【００３３】
次に、サーバ３１は、利用者情報データベース３２から、ＩＤ番号により利用者情報ＩＤを検索し、利用者が登録されていることを検出する（ステップＳ１３）。
これにより、サーバ３１は、上記利用者ＩＤに基づき、認証情報テーブルを検索し、検索された認証情報テーブルから登録認証データを読み出し、認証端末１へ認証要求と共に送信する（ステップＳ１４）。
そして、本人認証判定者は、認証端末１における登録認証データと取得認証データとの比較結果を確認する（ステップＳ１５）。
【００３４】
次に、本人認証判定者は、認証端末１により、本人認証の結果（本人認証成功の場合）をサーバ３１へ送信する（ステップＳ１６）。
ここで、サーバ３１は、対応する利用者の受験履歴テーブルにおける状態を、受験申し込みから受験へ変更する。
また、本人認証判定者は、認証端末１における本人認証の結果を、利用者へ通知する（ステップＳ１７）。
【００３５】
図１２は、認証端末１及び２でない通常の端末（パーソナルコンピュータ等）における、利用者のセンタ３のサーバ３１へのログイン処理のシーケンスを示している。
利用者は、インターネットによりプロバイダを介して、サーバ３１（センタ３）のホームページにアクセスし、利用者ＩＤ及びパスワードを所定の記入欄に入力し、ログイン処理を行う（ステップＳ２１）。
【００３６】
これにより、サーバ３１は、利用者情報とのマッチング、すなわち、利用者ＩＤで、対応する利用者の利用者情報テーブルを抽出し、入力されたパスワードと、利用者情報テーブルのパスワードとの比較を行い、利用者のマッチング処理を行う（ステップＳ２２）。
そして、サーバ３１は利用者のステータスをログイン状態とし（ステップＳ２３）、ログインが成功したことを利用者の端末へ通知する（ステップＳ２４）。
【００３７】
図１３は、認証端末１及び２でない通常の端末（パーソナルコンピュータ等）における、利用者のセンタ３のサーバ３１からのログオフ処理のシーケンスを示している。
利用者が端末からログオフコマンドを入力することにより、端末はサーバ３１に対して、ＩＤ番号とともにログオフ要求を送信する（ステップＳ３１）。
これにより、サーバ３１は利用者のステータスをログオフ状態とし（ステップＳ３２）、ログオフが成功したことを利用者の端末へ通知する（ステップＳ３３）。
【００３８】
図１４は、センタ３のサーバ３１のホームページにプロバイダを介してアクセスし、利用者情報の新規登録の処理を選択したとき行われる利用者情報登録処理のシーケンスを示している。
試験を受験する利用者（以下受験者）は、いずれかに設置されている認証端末１または利用者の端末の表示画面の指示に従い、所定の入力欄に必要なデータ、すなわちパスワード，苗字、名前，電話番号，郵便番号，住所，メールアドレスの入力を行う（ステップＳ４１）。
【００３９】
そして、認証端末（１または２）あるいは上記端末（図示しない）は、入力された必要なデータ（利用者情報テーブルの利用者ＩＤ以外のデータ）をサーバ３１へ送信する。
ここで、上記認証端末１，２及び端末にはブラウザの機能が設けられている。
このとき、利用者の端末で利用者情報登録を行う場合、登録認証データの取得をいずれかの認証データ取得機が存在するところで行い記録媒体にこの取得した認証データを予め記録しておく。
また、認証データの種類は、あらかじめ入会案内などに示されているので、利用者は、この案内を参照して必要な種類の認証データを準備しておく。
【００４０】
次に、サーバ３１は、入力されるパスワード，苗字、名前，電話番号，郵便番号，住所，メールアドレスに基づき、新たに利用者ＩＤを発行して、これらのデータにこの利用者ＩＤを添付して、新たな利用者情報テーブルを、利用者情報データベース３２に登録する。
また、サーバ３１が認証データの種類を示すデータ種別と、認証データとを要求するので、利用者は、認証端末１または２を用いた場合には認証データ取得機１２または２２を用いて認証データを取得するし、端末を使用している場合には用意した記録媒体に記録されている認証データを送信する。
【００４１】
これにより、サーバ３１は、入力されるデータ種別と、上記利用者ＩＤとともに、入力される認証データを登録認証データとして、上記利用者情報テーブルに対応した、認証情報テーブルを生成して、利用者情報データベース３２に格納する（ステップＳ４２）。
そして、サーバ３１は上記受験者に対して、新たにＩＤ記憶媒体の発行指示を出力し（ステップＳ４３）、センタ３はＩＤ記憶媒体を発行する（ステップＳ４４）。
【００４２】
そして、サーバ３１は、受験者の認証端末１，２または端末に対して、登録成功を通知するとともに、この受験者に対して発行した利用者ＩＤを通知する（ステップＳ４５）。
次に、センタ３は、発行されたＩＤ記憶媒体を受験者に対して発送する（ステップＳ４６）。
【００４３】
図１５は、センタ３のサーバ３１のホームページにプロバイダを介してアクセスし、ログイン処理を行った後に、受験登録を要求して、任意の試験に対して受験登録処理のシーケンスを示している。
利用者は端末の表示画面により、試験の案内に示されている試験ＩＤと、試験の日付と、試験の時間を所定の入力欄に入力する。
これにより、端末は上記所定の入力欄に入力された試験ＩＤ，試験の日付及び試験の時間をサーバ３１へ送信する（ステップＳ５１）。
【００４４】
そして、サーバ３１は、この利用者の利用者ＩＤに対応した受験履歴テーブルを新規に追加する（ステップＳ５２）。
このとき、サーバ３１は、受験履歴ＩＤを発行し、ログイン時に入力されている利用者ＩＤを付加して、受験履歴ＩＤ，利用者ＩＤ，試験ＩＤ，日付，時間，状態，合否，点数からなる受験履歴テーブルを生成して、この受験履歴テーブルを利用者情報データベース３２に格納する。
そして、サーバ３１は、状態を「受験申し込み」のモードとし、合否と点数とをブランク（ｎｕｌｌ）とし、受験登録の終了を利用者に通知する（ステップＳ５３）。
この後、利用者はログアウトの処理を行う。
【００４５】
図１６は、センタ３のサーバ３１のホームページにプロバイダを介してアクセスし、ログイン処理を行った後に、新規に公開試験セットを生成する新規公開セット作成を要求することで、サーバ３１により行われる新規公開試験セット作成処理のシーケンスを示している。
端末は利用者の入力する新規公開試験セットの要求をサーバ３１へ送信する（ステップＳ６１）。
【００４６】
これにより、サーバ３１は、ログインしている利用者の利用者ＩＤに基づき、利用者情報データベース３２を検索して、この利用者ＩＤに対応する受験履歴テーブルを抽出して、利用者の受験した試験の情報を含む新規公開試験セット用画面を作成する（ステップＳ６２）。
そして、サーバ３１が作成した新規公開試験セット用画面を端末に送信することにより、端末の表示画面にこの新規公開試験セット用画面が表示される（ステップＳ６３）。
【００４７】
次に、利用者は、端末の表示画面に表示された新規公開試験セット用画面において、選択して良いと判断した試験を選択する。
これにより、端末は、新たに生成する公開試験情報テーブルの名称と、選択された全ての試験に対応する受験履歴ＩＤとをサーバ３１へ送信する（ステップＳ６４）。
【００４８】
そして、サーバ３１は、利用者情報データベース３２の公開試験情報テーブルの記憶されている領域に、１レコード新規に追加して、この利用者に対応して、利用者ＩＤ，公開情報セットＩＤ，利用者の付けた上記名称，公開ＣＤに基づき、新しい公開試験情報テーブルが生成される。
ここで、公開情報セットＩＤ及び公開ＣＤ（公開コード）は、サーバ３１により新たに発行されるものである。
【００４９】
また、このとき、サーバ３１は、利用者情報データベース３２の公開試験明細テーブルの記憶されている領域に、新たに生成する公開試験明細テーブルの数、すなわち受験履歴ＩＤの数のレコードを準備し、利用者ＩＤ，上述した公開情報セットＩＤ，時系列に付けられる公開試験明細テーブルの番号を示す明細Ｎｏ，受験履歴ＩＤとにより、それぞれの受験履歴ＩＤに対応した公開試験明細テーブルを生成する（ステップＳ６５）。
そして、サーバ３１は、生成した公開ＣＤを端末へ送信する（ステップＳ６６）
上記公開試験明細テーブルは、公開情報セットＩＤにより関連づけられている。
この後、利用者はログアウトの処理を行う。
【００５０】
図１７は、センタ３のサーバ３１のホームページにプロバイダを介してアクセスし、ログイン処理を行った後に、すでにある公開試験セットの編集を要求することで、サーバ３１により行われる公開試験セット編集処理のシーケンスを示している。
端末は利用者の入力する公開試験セットの編集要求をサーバ３１へ送信する（ステップＳ７１）。
【００５１】
これにより、サーバ３１は、ログインしている利用者の利用者ＩＤに基づき、利用者情報データベース３２を検索して、この利用者ＩＤに対応する公開試験情報テーブルと公開試験明細テーブルとを抽出し、複数の公開情報セットＩＤで指定される複数の公開試験セットからなる公開試験セット指定用画面を生成する（ステップＳ７２）。
そして、サーバ３１が作成した公開試験セット指定用画面を端末に送信することにより、端末の表示画面にこの公開試験セット指定用画面が表示される（ステップＳ７３）。
【００５２】
次に、利用者は、端末の表示画面に表示された公開試験セット指定用画面において、編集を希望する公開試験セットを選択する。
これにより、端末は、編集する公開試験セットの公開情報セットＩＤをサーバ３１へ送信する（ステップＳ７４）。
【００５３】
そして、サーバ３１は、入力される公開情報セットＩＤと利用者ＩＤとに基づき、公開試験情報テーブル及び公開試験明細テーブルから、公開情報セットの編集を行う編集画面を生成する（ステップＳ７５）。
そして、サーバ３１が作成した公開情報セットの編集を行う編集画面を端末に送信することにより、端末の表示画面にこの公開情報セットの編集を行う編集画面が表示される（ステップＳ７６）。
【００５４】
次に、利用者は、端末の表示画面に表示されている公開情報セットの編集を行う編集画面において、非公開としたい試験の受験履歴ＩＤと、新たに公開したい試験の受験履歴ＩＤ（受験履歴テーブルの種類の変更が行われる）とを、各々選択し、公開情報セットの名称を入力する。
これにより、端末は、非公開とする受験履歴ＩＤと、新たに公開する受験履歴ＩＤと、公開情報セットの名称とをサーバ３１へ送信する（ステップＳ７７）。
【００５５】
そして、サーバ３１は、入力される非公開とする受験履歴ＩＤと、新たに公開する受験履歴ＩＤと、公開情報セットの名称とに基づき、公開試験情報テーブルの編集を行う。
ここで、公開ＣＤ（公開コード）は、サーバ３１により新たに発行されることになる。
そして、サーバ３１は、編集する公開試験情報テーブルを一回削除し、新たな公開試験情報テーブルを作成する。
【００５６】
すなわち、サーバ３１は、情報公開セットＩＤ，利用者ＩＤを削除した公開試験情報テーブルに使用されていたものを用い、入力された名称と新しく生成された公開ＣＤとにより、新たな公開試験情報テーブルを生成する。
また、このとき、サーバ３１は、利用者情報データベース３２の公開試験明細テーブルの記憶されている領域に、公開試験明細テーブルの数、すなわち受験履歴ＩＤの数のレコードを準備し、利用者ＩＤ，上述した公開情報セットＩＤ，時系列に付けられる公開試験明細テーブルの番号を示す明細Ｎｏ，受験履歴ＩＤとにより、それぞれの受験履歴ＩＤに対応した公開試験明細テーブルを生成する（ステップＳ７８）。
そして、サーバ３１は、生成した公開ＣＤを端末へ送信する（ステップＳ７９）。
上記公開試験明細テーブルは、公開情報セットＩＤにより関連づけられている。
この後、利用者はログアウトの処理を行う。
【００５７】
図１８は、受験者がセンタ３のサーバ３１のホームページにプロバイダを介してアクセスし、ログイン処理を行った後に、すでに行った試験の結果の参照を要求することで、試験結果参照処理のシーケンスを示している。
受験者が端末に試験結果を参照する要求を試験ＩＤとともに入力することにより、端末はサーバ３１に対して試験ＩＤを添付して、この試験ＩＤの示す試験の参照を要求する参照要求を送信する（ステップＳ８１）。
これにより、利用者ＩＤに基づき、利用者情報データベース３２から受験履歴テーブルを検索して、検索された受験履歴テーブルから、入力される試験ＩＤに対応する受験履歴テーブルを抽出して、試験結果（合否及び点数）を取得し（ステップＳ８２）、取得した試験結果を端末に通知する（ステップＳ８３）。
【００５８】
図１９は、利用者が認証端末２を用いてセンタ３のサーバ３１にアクセスし、公開ＣＤ（後述）を用いて、試験情報参照者に試験結果を参照させるための要求を行った場合の試験結果参照処理のシーケンスを示している。
利用者は試験情報参照者に対してＩＤ記憶媒体を提示する（ステップＳ９１）。
これにより、試験情報参照者は、端末２を介してサーバ３１に対して資格証明（または試験結果）要求を行う（ステップＳ９２）。
【００５９】
そして、サーバ３１は、認証端末２に対してＩＤ記憶媒体に記憶されている公開ＣＤを要求し（ステップＳ９３）、表示画面にＩＤ記憶媒体をＩＤ記憶媒体読取機２１へ挿入する指示を表示す（ステップＳ９４）。
次に、試験情報参照者は、利用者からＩＤ記憶媒体を受け取り、このＩＤ記憶媒体をＩＤ記憶媒体読取機２１へ挿入する（ステップＳ９５）。
そして、認証端末２は、ＩＤ記憶媒体読取機２１から読み込まれる公開ＣＤをサーバ３１へ、資格証明要求とともに送信する（ステップＳ９６）。
【００６０】
次に、サーバ３１は、この入力される公開ＣＤ及び資格証明要求に基づき、利用者情報データベース３２を検索して、公開ＣＤに対応する公開試験情報テーブルを抽出する（ステップＳ９７）。
そして、サーバ３１は、上記公開ＣＤに対応して、利用者情報データベース３２から抽出された公開試験情報テーブルを認証端末２へ送信する。
これにより、試験情報参照者は、認証端末２の表示画面において、公開試験情報テーブルにおける公開情報セットＩＤに基づき、公開試験明細テーブルにおける受験履歴ＩＤを介して、受験履歴テーブルを検索することにより、利用者の試験結果及び資格情報を確認することができる（ステップＳ９８）。
【００６１】
図２０は、利用者が端末（ＩＤ記憶媒体読取機１１及び１２のＩＤ記憶媒体からのデータの読み出し機能に加え、ＩＤ記憶媒体にデータを書き込む書き込み機能を有したＩＤ記憶媒体読み書き機が設けられている）を用いてセンタ３のサーバ３１にアクセスし、ログイン処理を行った後に、試験結果を参照するための公開ＣＤ（公開コード）の登録を行う場合の試験結果参照処理のシーケンスを示している。
受験者（利用者）は、登録公開したい公開情報セットＩＤを指定して（公開情報セットＩＤ毎に１つの公開ＣＤを設定する）、試験結果（または資格情報）の公開登録に用いる公開ＣＤ行う要求をサーバ３１へ送信する（ステップＳ１０１）。
【００６２】
次に、サーバ３１は、入力される公開ＣＤの登録の要求に基づき、端末を介して、この端末に設けられたＩＤ記憶媒体読み書き機に対してＩＤ記憶媒体からの利用者ＩＤの読み取りの準備信号を送信する（ステップＳ１０２）。
また、サーバ３１は、端末に対してＩＤ記憶媒体をＩＤ記憶媒体読み書き機に挿入する文字列を送信する。
これにより、端末が表示画面にＩＤ記憶媒体をＩＤ記憶媒体読み書き機に挿入を利用者に促す表示を行う（ステップＳ１０３）。
【００６３】
次に、利用者は、ＩＤ記憶媒体をＩＤ記憶媒体読み書き機に挿入する（ステップＳ１０４。）
そして、ＩＤ記憶媒体読み書き機は、ＩＤ記憶媒体から読み出した利用者ＩＤを端末に送信する。
次に、端末は、ＩＤ記憶媒体から入力される利用者ＩＤをサーバ３１へ送信する（ステップＳ１０５）。
【００６４】
そして、サーバ３１は、受験者のログイン時に入力した利用者ＩＤと、ＩＤ記憶媒体から読み出した利用者ＩＤとの比較を行い、ＩＤ記憶媒体を有した受験者の認証を行う（ステップＳ１０６）。
ここで、サーバ３１は、受験者のログイン時に入力した利用者ＩＤと、ＩＤ記憶媒体から読み出した利用者ＩＤとが一致すると、すなわち、受験者の認証が正常に終了すると、公開ＣＤを生成して入力された公開情報セットＩＤに対して付与する（ステップＳ１０７）。
【００６５】
そして、サーバ３１は上記生成された公開ＣＤを端末に送信するとともに、端末にＩＤ記憶媒体にこの公開ＣＤを登録する要求信号（要求）を送信する（ステップＳ１０８）。
次に、端末は、ＩＤ記憶媒体読み書き機に対して、挿入されているＩＤ記憶媒体に、上記公開ＣＤを書き込む制御命令（公開ＣＤを含む）を出力する。
これにより、ＩＤ記憶媒体読み書き機は、入力される公開ＣＤを、挿入されているＩＤ記憶媒体の所定の記録領域に書き込む（ステップＳ１０９）。
【００６６】
そして、端末は、ＩＤ記憶媒体に書き込まれた公開ＣＤを読み出し、内部に記憶されていた公開ＣＤと比較し、一致していることを確認すると、サーバ３１に対して、読み出した公開ＣＤを付加して登録完了の通知を行う（ステップＳ１１０）。
次に、サーバ３１は、入力される公開ＣＤと、端末に送信した公開ＣＤとを比較して、一致したことを検出すると、端末に対して正常に公開ＣＤのＩＤ記憶媒体に対する登録が行われたことを通知する。
そして、端末は、公開ＣＤの文字列及び正常に公開ＣＤの登録が終了したことを表示画面に表示し、利用者に公開ＣＤの登録処理の正常終了を通知する（ステップＳ１１１）。
この後、利用者はログアウトの処理を行う。
【００６７】
図２１は、利用者が認証端末２を用いてセンタ３のサーバ３１にアクセスし、公開ＣＤを用いて、試験情報参照者に試験結果を参照させるための要求を行った場合の試験結果参照処理のシーケンスを示している。
受験者は、試験情報参照者に対して公開したい試験結果（または資格情報）を有する公開試験情報セットに対応した公開ＣＤを伝える（ステップＳ１２１）。
次に、試験結果参照者は、この通知された公開ＣＤとともに、認証端末２に公開ＣＤに対応する受験履歴テーブル（公開試験情報セットＩＤにより関連づけられる公開試験明細テーブルにより検索される）の参照を要求を入力する。
これにより、認証端末２は、入力された公開ＣＤを付加した、受験履歴テーブルの参照要求をサーバ３１へ送信する（ステップＳ１２２）。
【００６８】
次に、サーバ３１は、入力された受験履歴テーブルの参照要求に従い、上記公開ＣＤに対応した公開試験情報セットＩＤを、利用者情報データベース３２から抽出する。
そして、サーバ３１は、この抽出された公開情報試験セットＩＤに基づき、公開試験明細テーブルを、利用者情報データベース３２から抽出する。
これにより、サーバ３１は、この公開試験明細テーブルにある受験履歴ＩＤに基づいて受験履歴テーブルを抽出する（ステップＳ１２３）。
次に、サーバ３１は、抽出された受験履歴テーブルを認証端末２へ送信する。
そして、端末は、入力される受験履歴テーブルを表示画面に表示する（ステップＳ１２４）。
【００６９】
上述したように、本発明のＩＤ情報利用試験システムは、試験場などで認証端末１に設けられた認証データ取得機２１によって、ＩＤ記憶媒体を提示した利用者から本人認証時に採取した取得認証データと、センタ３に設置された利用者情報データベース３２から上記ＩＤ記憶媒体からＩＤ記憶媒体読取機１１により読み出された利用者ＩＤにより検索された登録認証データとの比較を行い、予めデジタルテストセンタに登録した利用者と、この利用者の利用者ＩＤが記録されたＩＤ記憶媒体を所有している利用者とが同一人物か否かの本人認証を行うため、従来のように本人以外の人間が試験を受験することが大幅に困難となり、本人認証の確実性を大幅に向上させる効果がある。
【００７０】
また、本発明は、ＩＤ記憶媒体に記憶された利用者ＩＤにより、デジタルテストセンタの利用者情報データベース３２に記憶されている試験結果（または資格情報）を示す複数の受験履歴テーブルから、所定の試験に対する受験履歴テーブルを１つまたは複数のテーブルの組み合わせを予め選択して、必要に応じて入社試験などで試験情報を参照したいとする試験情報参照者に対して参照させるため、従来のように、予め試験の主催団体に依頼して証明書を発行してもらう手間や、証明書の発行に時間がかかり証明（試験結果や資格情報）が期日までに入手できないということが無くなり、必要なときに、必要な証明がインターネット等により、試験情報参照者に参照させることができる効果がある。
さらに、本発明は、公開する試験の組み合わせ（公開試験情報セット）を複数作成しておき、この組み合わせ各々に対して公開ＣＤを予め登録しておくことにより、必要に応じて公開したい証明が含まれるセットの公開ＣＤを用いることにより、複数の試験情報参照者への対応が効果的に行える効果がある。
【００７１】
次に、本発明の実施の形態によるコンピュータが実行するためのプログラムについて説明する。
図１におけるＩＤ試験情報利用試験システムにおけるコンピュータシステムのＣＰＵが実行するためのプログラムは、本発明によるプログラムを構成する。
このプログラムを格納するための記録媒体としては、光磁気ディスク、光ディスク、半導体メモリ、磁気記録媒体等を用いることができ、これらをＲＯＭ、ＲＡＭ、ＣＤ−ＲＯＭ、フレキシブルディスク、メモリカード等に構成して用いてよい。
【００７２】
また上記記録媒体は、インターネット等のネットワークや電話回線等の通信回線を介してプログラムが送信された場合のサーバやクライアントとなるコンピュータシステム内部のＲＡＭ等の揮発性メモリのように、一定時間プログラムを保持するものも含まれる。
また上記プログラムは、このプログラムを記憶装置等に格納したコンピュータシステムから伝送媒体を介して、あるいは伝送媒体中の伝送波により他のコンピュータシステムに伝送されるものであってもよい。上記伝送媒体とは、インターネット等のネットワーク（通信網）や電話回線等の通信回線（通信線）のように情報を伝送する機能を有する媒体をいうものとする。
【００７３】
また、上記プログラムは、前述した機能の一部を実現するためであってもよい。さらに、前述した機能をコンピュータシステムに既に記録されているプログラムとの組み合わせで実現できるもの、いわゆる差分ファイル（差分プログラム）であってもよい。
【００７４】
従って、このプログラムを図１のシステム又は装置とは異なるシステム又は装置において用い、そのシステム又は装置のコンピュータがこのプログラムを実行することによっても、上記実施の形態で説明した機能及び効果と同等の機能及び効果を得ることができ、本発明の目的を達成することができる。
【００７５】
以上、本発明の一実施形態を図面を参照して詳述してきたが、具体的な構成はこの実施形態に限られるものではなく、本発明の要旨を逸脱しない範囲の設計変更等があっても本発明に含まれる。
【００７６】
【発明の効果】
本発明のＩＤ情報利用試験システムによれば、試験場などで認証端末に設けられた認証データ取得機によって、ＩＤ記憶媒体を提示した利用者から本人認証時に採取した取得認証データと、センタに設置された利用者情報データベースから上記ＩＤ記憶媒体からＩＤ記憶媒体読取機により読み出されたＩＤ番号により検索された登録認証データとの比較を行い、予めセンタに登録した利用者と、この利用者のＩＤ番号が記録されたＩＤ記憶媒体を所有している利用者とが同一人物か否かの本人認証を行うため、従来のように本人以外の人間が試験を受験することが大幅に困難となり、本人認証の確実性を大幅に向上させる効果がある。
【図面の簡単な説明】
【図１】本発明の一実施形態によるＩＤ情報利用試験システムの構成例を示すブロック図である。
【図２】図１の利用者情報データベース３２に記憶されている利用者情報テーブルの構成を示す概念図である。
【図３】図１の利用者情報データベース３２に記憶されている認証情報テーブルの構成を示す概念図である。
【図４】図１の利用者情報データベース３２に記憶されている受験履歴テーブルの構成を示す概念図である。
【図５】図１の利用者情報データベース３２に記憶されている公開試験明細の構成を示す概念図である。
【図６】図１の利用者情報データベース３２に記憶されている公開試験情報テーブルの構成を示す概念図である。
【図７】図１の利用者情報データベース３２に記憶されている試験情報テーブルの構成を示す概念図である。
【図８】図１の利用者情報データベース３２に記憶されている主催団体情報テーブルの構成を示す概念図である。
【図９】図１のＩＤ情報利用試験システムにおける動作を示すシーケンスを示す図である。
【図１０】図１のＩＤ情報利用試験システムにおける動作を示すマッチング処理シーケンスを示す図である。
【図１１】図１のＩＤ情報利用試験システムにおける動作を示す本人認証処理シーケンスを示す図である。
【図１２】図１のＩＤ情報利用試験システムにおける動作を示すログイン処理シーケンスを示す図である。
【図１３】図１のＩＤ情報利用試験システムにおける動作を示すログアウト処理シーケンスを示す図である。
【図１４】図１のＩＤ情報利用試験システムにおける動作を示す利用者情報登録シーケンスを示す図である。
【図１５】図１のＩＤ情報利用試験システムにおける動作を示す受験登録処理シーケンスを示す図である。
【図１６】図１のＩＤ情報利用試験システムにおける動作を示す新規公開試験セット作成処理シーケンスを示す図である。
【図１７】図１のＩＤ情報利用試験システムにおける動作を示す公開試験セット編集処理シーケンスを示す図である。
【図１８】図１のＩＤ情報利用試験システムにおける動作を示す試験結果（受験者）処理シーケンスを示す図である。
【図１９】図１のＩＤ情報利用試験システムにおける動作を示す試験結果（ＩＤ記憶媒体）処理シーケンスを示す図である。
【図２０】図１のＩＤ情報利用試験システムにおける動作を示す公開ＣＤ登録処理シーケンスを示す図である。
【図２１】図１のＩＤ情報利用試験システムにおける動作を示す試験結果（ＵＲＬ；インターネットを用いた）処理シーケンスを示す図である。
【符号の説明】
１，２　認証端末
３　センタ（デジタルテストセンタ）
４　試験主催団体
１１，２１　ＩＤ記憶媒体読取機
１２，２２　認証データ取得機
３１　サーバ
３２　利用者情報データベース
【図１】
2004094690.tif 000003
【図２】
2004094690.tif 000004
【図３】
2004094690.tif 000005
【図４】
2004094690.tif 000006
【図５】
2004094690.tif 000007
【図６】
2004094690.tif 000008
【図７】
2004094690.tif 000009
【図８】
2004094690.tif 000010
【図９】
2004094690.tif 000011
【図１０】
2004094690.tif 000012
【図１１】
2004094690.tif 000013
【図１２】
2004094690.tif 000014
【図１３】
2004094690.tif 000015
【図１４】
2004094690.tif 000016
【図１５】
2004094690.tif 000017
【図１６】
2004094690.tif 000018
【図１７】
2004094690.tif 000019
【図１８】
2004094690.tif 000020
【図１９】
2004094690.tif 000021
【図２０】
2004094690.tif 000022
【図２１】
2004094690.tif 000023